(57)【要約】【目的】ユーザが要約文を読む場合の視線の移動を最小限にし、ユーザの素早い判断を促すことを可能にした情報処理装置を提供すること。【構成】要約文の作成対象となる文書を入力し、予め設定された抽出量に基づき入力した文書から重要文を抽出して、前記文書の要約文を作成する要約手段を備えた情報処理装置において、文書を格納する文書格納手段と、前記文書格納手段に格納された文書のうち全部又は一部の文書名一覧を表示する一覧表示手段と、前記一覧表示手段で表示された文書名から１つの文書名を指定する文書指定手段と、前記文書指定手段を介して指定された文書を前記要約手段により要約を行い、要約結果を表示する要約表示手段と、を有する。【選択図】      図１
2004252545.tif 000002
【特許請求の範囲】
【請求項１】
要約文の作成対象となる文書を入力し、予め設定された抽出量に基づき入力した文書から重要文を抽出して、前記文書の要約文を作成する要約手段を備えた情報処理装置において、
文書を格納する文書格納手段と、前記文書格納手段に格納された文書のうち全部又は一部の文書名一覧を表示する一覧表示手段と、前記一覧表示手段で表示された文書名から１つの文書名を指定する文書指定手段と、前記文書指定手段を介して指定された文書を前記要約手段により要約を行い、要約結果を表示する要約表示手段と、を有することを特徴とする情報処理装置。
【請求項２】
前記要約表示手段は、吹き出し型のウインドウに要約文を表示することを特徴とする請求項１記載の情報処理装置。
【請求項３】
前記文書指定手段は、画面領域を指定するためのポインティングデバイスと、前記ポインティングデバイスが、或る領域内に存在することを検出する検出手段と、を備え、前記文書一覧表示において、それぞれの文書により指定される領域内にポインティングデバイスが存在することを前記検出手段により検出することにより文書名を指定することを特徴とする請求項１又は２記載の情報処理装置。
【請求項４】
要約文の作成対象となる文書を入力し、予め設定された抽出量に基づき入力した文書から重要文を抽出して、前記文書の要約文を作成する要約手段を備えた情報処理装置において、
文書を格納する文書格納手段と、前記文書格納手段により格納された全ての文書に対して前記要約手段により要約を行い、要約結果を格納した要約文書格納手段と、前記文書格納手段に格納された文書名一覧を表示する一覧表示手段と、前記一覧表示手段で表示された文書名から１つの文書名を指定する文書指定手段と、前記文書指定手段により指定された文書の要約を前記要約文書格納手段から取り出し、表示する要約表示手段と、を有することを特徴とする情報処理装置。
【請求項５】
前記要約表示手段は、吹き出し型のウインドウ内に要約文を表示することを特徴とする請求項４記載の情報処理装置。
【請求項６】
前記文書指定手段は、画面領域を指定するためのポインティングデバイスと、前記ポインティングデバイスが、或る領域内に存在することを検出する検出手段と、を備え、前記文書一覧表示において、それぞれの文書により指定される領域内にポインティングデバイスが存在することを前記検出手段により検出することで文書名を指定することを特徴とする請求項４又は５記載の情報処理装置。
【請求項７】
要約文の作成対象となる文書を入力し、予め設定された抽出量に基づき入力した文書から重要文を抽出して、前記文書の要約文を作成する要約手段を備えた情報処理方法において、
文書を格納する文書格納手段と、前記文書格納手段に格納された文書のうち全部又は一部の文書名一覧を表示する一覧表示手段と、前記一覧表示手段で表示された文書名から１つの文書名を指定する文書指定手段と、前記文書指定手段を介して指定された文書を前記要約手段により要約を行い、要約結果を表示する要約表示手段と、を有することを特徴とする情報処理方法。
【請求項８】
前記要約表示手段は、吹き出し型のウインドウに要約文を表示することを特徴とする請求項７記載の情報処理方法。
【請求項９】
前記文書指定手段は、画面領域を指定するためのポインティングデバイスと、前記ポインティングデバイスが、或る領域内に存在することを検出する検出手段と、を備え、前記文書一覧表示において、それぞれの文書により指定される領域内にポインティングデバイスが存在することを前記検出手段により検出することで文書名を指定することを特徴とする請求項７又は８記載の情報処理方法。
【請求項１０】
要約文の作成対象となる文書を入力し、予め設定された抽出量に基づき入力した文書から重要文を抽出して、前記文書の要約文を作成する要約手段を備えた情報処理方法において、
文書を格納する文書格納手段と、前記文書格納手段により格納された全ての文書に対して前記要約手段により要約を行い、要約結果を格納した要約文書格納手段と、前記文書格納手段に格納された文書名一覧を表示する一覧表示手段と、前記一覧表示手段で表示された文書名から１つの文書名を指定する文書指定手段と、前記文書指定手段により指定された文書の要約を前記要約文書格納手段から取り出し、表示する要約表示手段と、を有することを特徴とする情報処理方法。
【請求項１１】
前記要約表示手段は、吹き出し型のウインドウ内に要約文を表示することを特徴とする請求項１０記載の情報処理方法。
【請求項１２】
前記文書指定手段は、画面領域を指定するためのポインティングデバイスと、前記ポインティングデバイスが、或る領域内に存在することを検出する検出手段と、を備え、前記文書一覧表示において、それぞれの文書により指定される領域内にポインティングデバイスが存在することを前記検出手段により検出することで文書名を指定することを特徴とする請求項１０又は１１記載の情報処理方法。
【請求項１３】
前記請求項１〜１２のいずれか１つに記載の情報処理装置又は方法の各手段としてコンピュータを機能させるためのプログラムを記録したことを特徴とするコンピュータ読み取り可能な記憶媒体。
【発明の詳細な説明】
【０００１】
【発明の属する技術分野】
本発明は、複数の文書情報を管理し、該複数の文書データの内容の要約をユーザに提示する情報処理装置、情報処理方法及びその方法をコンピュータに実行させるプログラムを記憶したコンピュータ読み取り可能な記憶媒体に関する。
【０００２】
【従来の技術】
近年のデジタル情報化社会においては、ネットワークを通じて電子化されたテキストが氾濫し、個人の情報処理能力を遥かに上回る量の情報に日常的に接する事態になっている。このため、文書管理の必要性とともに、文書の要約を作成し、それをユーザに提示して個人が読むテキストの量を制限する文書要約機能が注目されている。
【０００３】
その文書要約機能の１つの例として、一覧表示された文書の要約を表示して、ユーザが文書を開かずに内容を把握し、必要なファイルかどうかの判断をする利用法がある。ユーザが一覧表示された文書のうち１つ又は複数を選択することにより、選択された文書の要約を表示する。これにより、必要のない文書を開いて読み、又、閉じるといった作業を省くことができる。
【０００４】
前記の機能を実現するために、多くの従来手法では、文書の一覧表示の周囲にウインドウ領域を作ってそのウインドウ領域に要約文を表示している。
【０００５】
【発明が解決しようとする課題】
しかしながら、上記従来の技術においては、ユーザは視線を文書一覧表示から要約が表示されているウインドウに移し、要約文を読み終えたら又文書一覧に戻すという作業を行っている。
【０００６】
ユーザの負担をできるだけ小さくするという観点から、ユーザが要約文を読む際の操作と視線の移動は最小限にする必要があると考えられる。
【０００７】
本発明はこのような課題を解決するためになされたもので、ユーザが要約文を読む場合の視線の移動を最小限にし、ユーザの素早い判断を促すことを可能にした情報処理装置、情報処理方法及び記憶媒体を提供することを目的とする。
【０００８】
【課題を解決するための手段】
上記目的を達成するため、本発明は、要約文の作成対象となる文書を入力し、予め設定された抽出量に基づき入力した文書から重要文を抽出して、前記文書の要約文を作成する要約手段を備えた情報処理装置において、文書を格納する文書格納手段と、前記文書格納手段に格納された文書のうち全部又は一部の文書名一覧を表示する一覧表示手段と、前記一覧表示手段で表示された文書名から１つの文書名を指定する文書指定手段と、前記文書指定手段を介して指定された文書を前記要約手段により要約を行い、要約結果を表示する要約表示手段と、を有することを特徴とする。
【０００９】
又、本発明は、要約文の作成対象となる文書を入力し、予め設定された抽出量に基づき入力した文書から重要文を抽出して、前記文書の要約文を作成する要約手段を備えた情報処理方法において、文書を格納する文書格納手段と、前記文書格納手段に格納された文書のうち全部又は一部の文書名一覧を表示する一覧表示手段と、前記一覧表示手段で表示された文書名から１つの文書名を指定する文書指定手段と、前記文書指定手段を介して指定された文書を前記要約手段により要約を行い、要約結果を表示する要約表示手段と、を有することを特徴とする。
【００１０】
【発明の実施の形態】
以下に本発明の実施の形態を添付図面に基づいて説明する。
【００１１】
図１は本発明に係る情報処理装置の一実施の形態の構成を示すブロック図である。
【００１２】
図１において、１１はマイクロプロセッサ（ＣＰＵ）であり、演算、論理判断等を行い、又、アドレスバスＡＢ、コントロールバスＣＢ、データバスＤＢを介して、それらのバスに接続された各構成要素を制御する。アドレスバスＡＢは、ＣＰＵ１１が制御の対象とする構成要素を指定するためのアドレス信号を転送する。コントロールバスＣＢは、ＣＰＵ１１が制御の対象とする各構成要素に対してＣＰＵ１１から印加されるコントロール信号を転送する。
【００１３】
データバスＤＢは、各構成要素相互間のデータ転送を行う。１２は読出し専用の固定メモリ（ＲＯＭ）であり、本実施の形態で実行される処理プログラム等の制御プログラムコードを記憶する。１３は書き込み可能なランダムアクセスメモリ（ＲＡＭ）であり、各構成要素から送られた各種データの一時記憶に用いられる。
【００１４】
１４は外部メモリ（ＤＩＳＫ）であり、１５はキーボード（ＫＢ）であり、アルファベットキー、ひらがなキー、カタカナキー、句読点等の文字記号入力キー及びカーソル移動を支持するカーソル移動キー等の各種の機能キーを備えている。
【００１５】
１６は表示用ビデオメモリ（ＶＲＡＭ）であり、表示すべきデータの表示パターンを蓄える。１７はＣＲＴコントローラ（ＣＲＴＣ）であり、表示用ビデオメモリ（ＶＲＡＭ）１６に蓄えられた内容を後述の表示装置（ＣＲＴ）１８に表示する役割を担う。
【００１６】
１８は陰極線管、液晶パネル等の表示装置（ＣＲＴ）であり、これに、ドット構成の表示パターン及びカーソルが、ＣＲＴコントローラ（ＣＲＴＣ）１７による制御によって表示される。
【００１７】
１９はネットワークコントローラ（ＮＩＣ）であり、情報処理装置をＥｔｈｅｒｎｅｔ等のネットワークに接続する役割を担う。
【００１８】
斯かる各構成要素から成る情報処理装置においては、キーボード（ＫＢ）１５からの各種の入力及びネットワークコントローラ（ＮＩＣ）１９から供給されるネットワーク経由の各種の入力に応じて作動するものであって、キーボード（ＫＢ）１５からの入力又はネットワークコントローラ（ＮＩＣ）１９からの入力が供給されると、先ず、インタラプト信号がマイクロプロセッサ（ＣＰＵ）１１に送られ、マイクロプロセッサ（ＣＰＵ）１１が、外部メモリ（ＤＩＳＫ）１４内に記憶してある各種の制御信号を読出し、それらの制御信号に従って各種の制御が行われる。
【００１９】
図２は、請求項１〜３の情報処理装置で実行される処理の手順を示すフローチャートである。
【００２０】
ステップ１００１は、文書格納部２０１に保存された文章のうち全部又は一部が一覧表示されている状態を示す。この文書一覧表示は、文書管理ソフトにおけるキャビネット内文書一覧や、検索ソフトにおける検索結果一覧リスト等の外部のプログラムであっても良い。文書一覧表示の一例を図５に示す。
【００２１】
ステップ１００２では、Ｓ１００１で表示された文書一覧から１つの文書を選択する処理を行う。処理の詳細は図４に示す。
【００２２】
ステップ１００３では、文書選択処理１００２で選択された文書の要約が既に作成されているかどうかの判断を行う。作成されていればステップ１００６で該作成された要約文を表示する。作成されていなければステップ１００５で新たな要約文を作成し、保存する。
【００２３】
要約文を作成する文書要約エンジンは、元文書を入力し、形態素解析や構造解析等を行って各文毎に重要度のスコアを付与し、スコア順にソートする。そして、予め決められた長さになるように、スコアの高い文を選択し、それを要約文とする。
【００２４】
ステップ１００６では、作成された要約文を表示する。文書一覧リストからの文書要約表示は、ユーザの操作をできるだけ簡略化し、一覧中の文書名と表示される要約文の距離をなるべく短くして視線の移動を最小限に留め、又、ユーザが文書を選択してから要約文が表示されるまでの時間をなるべく短くする必要がある。このような課題を解決する本発明の表示部分の詳細は図６に示している。
【００２５】
図４は請求項４〜６に係る情報処理装置の手順を示すフローチャートである。
【００２６】
ステップ２００１では、予め文書格納部２０１に格納されている全ての文書に対して決められた長さで要約を行い、作成された要約文を要約文格納部２０２に格納しておく。
【００２７】
ステップ２００２で、文書格納部２０１に格納された文章のうち全部又は一部が一覧表示されている状態を示す。この文書一覧表示は、文書管理ソフトにおけるキャビネット内文書一覧や検索ソフトにおける検索結果一覧リスト等の外部プログラムであっても良い。文書一覧表示の一例を図５に示す。
【００２８】
ステップ２００３で、ステップ２００２で表示された文書一覧から１つの文書を選択する処理を行う。処理の詳細は図４に示す。
【００２９】
ステップ２００４では、文書選択処理２００３で選択された文書に対応する要約文を要約文格納部２０２より読み出して表示を行う。文書一覧リストからの文書要約表示は、ユーザの操作をできるだけ簡略化し、一覧中の文書名と表示される要約文の距離をなるべく短くして視線の移動を最小限に留め、又、ユーザが文書を選択してから要約文が表示されるまでの時間をなるべく短くする必要がある。このような課題を解決する本発明の表示部分の詳細は図６に示している。
【００３０】
図４は、図２及び図３における文書選択処理の詳細を表したフローチャートである。ここでは、マウス等のポインティングデバイスを用いて文書を選択し、文書名を獲得する処理を示している。
【００３１】
ステップ３００１では、マウスなどのポインティングデバイスによって表示装置１８に指示されたポインタ（カーソル）の座標を取得する。
【００３２】
ステップ３００２では、ファイル一覧上で、それぞれの文書に対応付けられる領域に対してマウスポインタが外から中へ入ってきたかどうかの判定を行う。ポインタが外から中へ入ってきたのであればステップ３００３へ、そうでなければ開始時点まで戻り、ステップ３００１を行う。
【００３３】
ステップ３００３では、マウスポインタがファイル一覧上のそれぞれの文書に対応付けられている領域に外から入ってきた場合、且つ、該領域内で一定時間停止した場合にステップ３００４へ進む。そうでない場合には開始時点に戻る。この条件により、マウスポインタが意図せずに或る文書に対応付けられた領域上を通過したときに要約が表示されることを防ぐことができる。
【００３４】
ステップ３００４では、ポインタの存在する領域に対応付けられた文書の文書名を獲得する。
【００３５】
図５は文書管理ソフト等で文書データベース内の文書名を表示する文書一覧リストの一例を示す説明図である。この文書一覧リスト３０１内のファイルを選択することによって、選択されたファイルの要約文を表示して文書の中身を判断することができる。
【００３６】
図５において、３０２は文書タイトルの表示領域を示す。３０３は文書ファイル名の表示領域を示す。３０４の斜線部分は、ＡＮＮＯＵＮＣＥ．ＨＴＭＬ  というファイルに対応付けられた領域である。３０４の斜線は領域を視覚的に図示したものであって、実際の一覧表示３０１には存在しない。
【００３７】
図６は文書一覧リスト３０１上で文書を選択して要約を行い、得られた要約文が表示された状態を示す。
【００３８】
図６において、４０１はマウス等のポインティングデバイスがＣＲＴ１８上に投影されたポインタカーソルを示す。このポインタカーソル４０１がＡＮＮＯＵＮＣＥ．ＨＴＭＬ  に対応付けられた領域３０４の中に外から入り、指定された一定の時間停止すると、要約文が表示される。４０２は吹き出しにより要約文が表示されている図を示す。ファイルを選択すると瞬時に吹き出しがポップアップで現れ、要約文を表示することで、文書一覧リスト中の文書の内容をユーザが瞬時に判断することができる。
【００３９】
以上で述べた実施の形態により、文書一覧リストから要約文の作成を行い表示することができる。
【００４０】
本発明の目的は、前述した実施の形態の機能を実現するソフトウェアのプログラムコードを記録した記録媒体を、システム或は装置に供給し、そのシステム或は装置のコンピュータ（又はＣＰＵやＭＰＵ）が記憶媒体に格納されたプログラムコードを読出し実行することによっても達成される。
【００４１】
この場合、記憶媒体から読み出されたプログラムコード自体が前述した実施の形態の機能を実現することになり、そのプログラムコードを記憶した記憶媒体は本発明を構成することになる。
【００４２】
プログラムコードを供給するための記憶媒体としては、例えば、フロッピーディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。
【００４３】
又、コンピュータが読み出したプログラムコードを実行することにより、前述した実施の形態の機能が実現されるだけではなく、そのプログラムコードの指示に基づき、コンピュータ上で稼動しているＯＳ（オペレーティングシステム）等が実際の処理の一部又は全部を行い、その処理によって前述した実施の形態の機能が実現される場合も含まれる。
【００４４】
更に、記憶媒体から読み出されたプログラムコードがコンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部又は全部を行い、その処理によって前述した実施の形態の機能が実現される場合も含まれる。
【００４５】
【発明の効果】
この発明に係る情報処理装置は、以上説明した通り、文書データを入力する文書格納手段と、文書名一覧を表示する一覧表示手段と、文書名を指定する文書名指定手段と、文書の要約を行う要約手段と、選択された文書をその場で要約した要約文、或は予め作成された要約文を表示する表示手段とを備える。そして、文書一覧から文書を選択し、選択した文書の要約文を作成し、文書リストの近傍に瞬時に要約文を表示する。これにより、文書リスト上の文書の中身をユーザが素早く把握できるという効果が得られる。
【図面の簡単な説明】
【図１】本発明の情報処理装置の一実施の形態の構成を表すブロック図である。
【図２】情報処理装置で実行される処理の手順を示すフローチャートである。
【図３】情報処理装置で実行される処理の手順を示すフローチャートである。
【図４】図３のステップ１００２、図４のステップ２００３で実行される処理の詳細を示すフローチャートである。
【図５】文書一覧表示の一例を示す図である。
【図６】図５の文書一覧表示から要約を行い又は作成された要約文を読出し、吹き出しを利用して表示した図である。
【符号の説明】
１１      マイクロプロセッサ（ＣＰＵ、受け取り手段、要約手段、）
１２      ＲＯＭ
１３      ＲＡＭ
１４      外部メモリ（ＤＩＳＫ、文書情報記憶手段）
１５      キーボード（ＫＢ）
１６      表示用ビデオメモリ（ＶＲＡＭ）
１７      ＣＲＴコントローラ（ＣＲＴＣ）
１８      表示装置（ＣＲＴ）
１９      ネットワークコントローラ（ＮＩＣ）
【図１】
2004252545.tif 000003
【図２】
2004252545.tif 000004
【図３】
2004252545.tif 000005
【図４】
2004252545.tif 000006
【図５】
2004252545.tif 000007
【図６】
2004252545.tif 000008